(57)【要約】【課題】信頼性を高め分解醗酵の効率を高めると同時に高さを低くして使いやすいバイオトイレ（排泄物処理装置）を実現すること。【解決手段】本発明のバイオトイレ排泄物処理装置は、タンク、微生物培養材料と排泄物を収容する曲線形状の２つの凹形状容器を含む処理槽、処理槽内を所定の温度範囲に保つ温度制御手段、曲線形状を持つ２つの凹形状容器に沿った形状の螺旋状攪拌ブレードを持つ２つの攪拌器で構成している。本発明のバイオトイレは水を必要としないので水洗トイレのように大量な水の使用や環境汚染がない。さらに本発明の排泄物処理装置は微生物と微生物培養材料を攪拌することで有機肥料を生み出す。環境にやさしく環境を保護する最も効果的なバイオトイレである。
2006516005.tif 000002
【特許請求の範囲】
【請求項１】
微生物培養材料と排泄物を収容する、曲線形状の少なくとも２つの凹型容器を有する処理槽；前記処理層内の温度を所定の温度範囲に維持する温度制御手段；及び微生物培養材料と排泄物を上記曲線形状に沿って攪拌する少なくとも２つの攪拌器；を備えたことを特徴とする排泄物処理装置。
【請求項２】
お互い同士が離れて位置した少なくとも２つの攪拌器を有し、それぞれの攪拌器は、回転軸と該回転軸に複数のスポークによって固定されている螺旋状攪拌ブレードを有することを特徴とする排泄物処理装置。
【請求項３】
前記螺旋状攪拌ブレードは２つの部品に分かれており、それぞれの螺旋方向は互いに反対方向である請求項２に記載の排泄物処理装置。
【請求項４】
螺旋状攪拌ブレードのそれぞれは連続的な形状である請求項３に記載の排泄物処理装置。
【請求項５】
前記２つの攪拌器を収納する処理層は、該処理槽の底に位置する曲線形状の２つの凹型容器を備えており、この２つの凹型容器はオーバラップして位置していてその交差個所にはくさび型形状交差部品があり、このくさび型交差部品の取り付け高さは前記攪拌器の回転軸の高さより低い請求項４に記載の排泄物処理装置。
【請求項６】
曲線形状の２つの凹型容器は前記攪拌器と均一な空間余地を持っている請求項５に記載の排泄物処理装置。
【請求項７】
それぞれの螺旋状攪拌ブレードの外側にはそれぞれ多数の攪拌リングがあり、該攪拌リングの上には、処理層内の混合物を遊離させる複数の攪拌ブロック部品が付いている請求項６に記載の排泄物処理装置。
【請求項８】
前記処理槽の上部は上部プレートで覆われており、該上部プレートには大便吸入口が設けられている請求項１に記載の排泄物処理装置。
【請求項９】
処理槽の上部プレートには、大便吸入口とは所定の間隔離れた位置に小便吸入口が設けられている請求項８に記載の排泄物処理装置。
【請求項１０】
前記処理槽にはさらに導管があり前記導管の入り口は前記小便吸入口と接続しており前記導管の出口は前記大便吸入口に近接して配置されている請求項９に記載の排泄物処理装置。
【請求項１１】
前記攪拌器はそれぞれが、回転軸と、複数のスポークで前記回転軸に固定された螺旋状攪拌ブレードを持っており、前記螺旋状攪拌ブレードは局所的にオーバラップしている請求項１に記載の排泄物処理装置。
【請求項１２】
床によって２つの空間に分離された生物分解型トイレであって、床より下の空間には、少なくとも１つの大便吸入口を持つ上面プレートを備えたタンク；微生物培養材料と排泄物を収容する、曲線形状の少なくとも２つの凹型容器を有する処理槽；前記処理槽内の温度を所定の範囲に維持する温度制御手段；前記微生物培養材料と排泄物を上記曲線形状の少なくとも２つの凹型容器に沿って攪拌する２つの攪拌装置；この２つの攪拌装置を駆動するタンクの外側に設置された駆動手段；及び制御手段；を有することを特徴とする生物分解型トイレ。
【請求項１３】
お互い同士が離れて位置し、それぞれが回転軸と該回転軸に複数のスポークによって固定されている螺旋状攪拌ブレードを有する少なくとも２つの攪拌器を内蔵している請求項１２に記載の生物分解型トイレ。
【請求項１４】
前記螺旋状攪拌ブレードは２つの部品に分かれており、それぞれの螺旋方向は互いに反対方向である請求項１３に記載の生物分解型トイレ。
【請求項１５】
それぞれの螺旋状攪拌ブレードの外側にはそれぞれに多数の攪拌リングがあり、該攪拌リングの上には、処理層内の混合物を遊離させる複数の攪拌ブロック部品が付いている請求項１４に記載の生物分解型トイレ。
【請求項１６】
前記処理槽の底に位置する前記曲線形状の２つの凹型容器はオーバラップして位置していて、その交差個所にはくさび型形状交差部品があり、このくさび型交差部品の取り付け高さは前記攪拌器の回転軸の高さより低い請求項１５に記載の生物分解型トイレ。
【請求項１７】
曲線形状の２つの凹型容器は前記攪拌器と均一な空間余地を持つ請求項１５に記載の生物分解型トイレ。
【請求項１８】
攪拌器と曲線形状の凹型容器との距離が約１〜３cmである請求項１７に記載の生物分解型トイレ。
【請求項１９】
曲線形状の２つの凹型容器間の空間は底面プレートの支持部品によって仕切られている請求項１８に記載の生物分解型トイレ。
【請求項２０】
温度制御手段は、処理槽の外側に配置した発熱プレート、及びこの発熱プレートを覆う断熱材層で構成されている請求項１９に記載の生物分解型トイレ。
【請求項２１】
温度制御手段はさらに断熱層を保持する保持体を持ち、該保持体の一端は支持部品に固定され他端はタンクにばねフックによって固定されている請求項２０に記載の生物分解型トイレ。
【請求項２２】
大便吸入口と小便吸入口がタンクの上部プレートにあり、お互い離れた空間に位置する請求項１３に記載の生物分解型トイレ。
【請求項２３】
タンク内にはさらに導管があり前記導管の入り口は前記小便吸入口と接続しており前記導管の出口は前記大便吸入口に近接して配置している請求項２２に記載の生物分解型トイレ。
【請求項２４】
分配するための複数の分散孔が導管の下に開けられている請求項２３に記載の生物分解型トイレ。
【請求項２５】
分散孔の直径が出口に近いほどに徐々に大きくなっていく請求項２４に記載の生物分解型トイレ。
【請求項２６】
タンクの側面プレートと接合している上面プレートは、その接合点において断熱部材を取外し可能である請求項２５に記載の生物分解型トイレ。
【請求項２７】
タンクの上部プレートの外気にむかっている空気孔、排気ファンを持つ排気装置を有する請求項１２に記載の生物分解型トイレ。
【請求項２８】
前記排気ファンは空気出口に取り付けてある請求項２７に記載の生物分解型トイレ。
【請求項２９】
前記制御ユニットの支持体はタンクの側面プレートに配置している請求項１８に記載の生物分解型トイレ。
【請求項３０】
微生物培養材料を満たす処理槽、処理槽内の温度を所定の範囲に保つ温度制御手段、微生物培養材料と排泄物とを処理槽内で攪拌する２つの攪拌器、攪拌器が動作する所定の時間間隔を検出するタイマーで構成する請求項１に記載の処理装置を用いた排泄物分解処理方法。
【請求項３１】
所定の時間間隔が0．25〜4．0時間である請求項３０に記載の排泄物分解処理方法。
【請求項３２】
処理装置が使用中であることを検出すると攪拌器を作動させるセンサーを備えた請求項３１に記載の排泄物分解処理方法。
【請求項３３】
所定時間に一致した時、攪拌器を駆動する時間間隔を検出するタイマーを備えた請求項３２に記載の排泄物分解処理方法。
【請求項３４】
処理装置の使用が完全に終了したあと攪拌器を駆動するステップを有する請求項３０に記載の排泄物分解処理方法。
【請求項３５】
排泄物を十分に攪拌するため、攪拌器が一回転したとき反対方向に回転させる攪拌器駆動ステップを有する請求項３０に記載の排泄物分解処理方法。
【請求項３６】
攪拌器の一回転動作を数回駆動する請求項３５に記載の排泄物分解処理方法。
【請求項３７】
所定の温度範囲を約50℃〜70℃とした請求項３０に記載の排泄物分解処理方法。
【請求項３８】
微生物培養材料がおが屑である請求項３７に記載の排泄物分解処理方法。
【発明の詳細な説明】
【技術分野】
【０００１】
本発明は排泄物を有機肥料に変える排泄物処理装置（生物分解型トイレ（バイオトイレ））及び方法に関する。
【背景技術】
【０００２】
従来のトイレの一種として水洗トイレが広く使われている。この種のトイレは搬送方式であり排泄物は下水システムによって処理される。しかしながら下水処理システムの処理容量には限度があり処理方法も大量の水を使うばかりでなく環境を汚染してきた。排泄物のリサイクルが不可能な不適切な方法のためである。そのため人々は環境保護の重要性を感じ始め、各種のバイオトイレが開発されてきた。
【０００３】
例えば特許第３１６０８５９号公報によれば、図１（Ａ）、（Ｂ）に示すように、排泄物や小便は直接処理装置１０に落としていた。排泄物処理装置１０は、処理槽１２と、駆動モータ１６により回転する回転軸１４を有している。その回転軸１４は処理槽１２と同じ長さであり多数のブレード１８が固定されている。このブレード１８はおが屑と排泄物を回転軸が回転することで攪拌し、その一方でブレード１８は処理済みの排泄物を大便吸入口より遠くへと運んでいる。発熱調整手段２０により処理槽１２内の温度を一定に保ち人体からの排泄物の中にいる微生物の培養を抑えている。このようにおが屑と排泄物は一定時間攪拌され、排泄物の中の有機物質は十分に分解され有機肥料となっていく。ところが、この従来の排泄物処理装置１０の処理能力は満足のいくほど十分ではない。回転軸の回転能力の限界によりおが屑と排泄物との攪拌が不十分のためである。加えて前述の排泄物処理装置はおが屑と排泄物の攪拌動作で硬い塊ができモータへの負荷トルクの増大で装置を壊してしまう問題がある。そのためバイオトイレは公共の場所、例えば病院、一時的に使用される公演場所、建設現場、牧場、公園などに広く普及してはいない。
【０００４】
この種の従来のバイオトイレで排泄物を有機肥料に変えるには一般的に２、３日かかる。処理槽１２の中の排泄物とおが屑はブレード１８によって移動されるが、硬い塊ができる問題は避けがたい。図１（Ｃ）に示すように大便の吸入口と小便の吸入口は一定の距離を離すべきであるが、しばしば小便吸入口は処理槽の端に配置されるため、排泄物とおが屑の攪拌の際の不均一性の原因となる。これが、従来のバイオトイレは１つだけの攪拌器を持つものしかなく直径の大きな攪拌器でなければ処理能力も上がらない理由である。
【０００５】
図１（Ａ）、（Ｂ）、（Ｃ）が示すように、従来の排泄物処理装置は底の曲線形状がブレード１８の形状と同じにも係わらず塊ができる問題は完全には解決していない。そのため現在の状況では処理能力を高めるには処理槽の高さを高くするしかない。高くしたのではバイオトイレへの出入りやおが屑の供給がやりにくくなってしまう。前述の欠点により従来のバイオトイレはその使用が全く広まってはいない。
【特許文献１】特許第３１６０８５９号公報
【発明の開示】
【発明が解決しようとする課題】
【０００６】
従来のバイオトイレは１つの攪拌器で構成されていた。処理容量を確保するため処理槽の高さを高くせざるをえないばかりか攪拌動作に死角ができこの死角領域に硬い堆積物ができ装置の故障原因になるという課題があった。本発明は上記の従来技術の課題を解決するためになされたもので、その目的とするところは、故障がない高信頼性の確保およびユーザが使用し易い高さの低い処理槽を実現すること、さらには排泄物を有機肥料に変える効率を高めたスピーディなバイオトイレを提供することにある。
【課題を解決するための手段】
【０００７】
一つの解決手段は、バイオトイレの処理装置の構成である。本発明の排泄物処理装置は、タンク、１つ以上の大便吸入口を持つ上面プレート、微生物培養材料と排泄物を収容する上記タンクに内蔵された処理槽、処理槽の底に位置する曲線形状を持つ凹型容器、処理槽内を所定の温度範囲に保つ処理槽外側に取り付けてある温度制御手段、及び少なくとも２つの攪拌器で構成されている。この２つの攪拌器はお互い同士が距離をおいて配置されており、複数のスポークで回転軸に固定されている凹型容器と形状が同じ螺旋状攪拌ブレードをそれぞれが持っている。
【０００８】
もう一つの解決手段は、バイオトイレの建物の構成である。処理能力を高めるため建物は床によって２つに仕切られている。床より下の空間には、タンク、１つ以上の大便吸入口を持つ上面プレート、微生物培養材料と排泄物を収容する上記タンクに内蔵された処理槽、処理槽の底に位置する曲線形状を持つ凹型容器、処理槽内を所定の温度範囲に保つ処理槽外側に取り付けてある温度制御手段、及び少なくとも２つの攪拌器が備えられている。この２つの攪拌器はお互い同士が距離をおいて配置されており、複数のスポークで回転軸に固定されている凹型容器と形状が同じ螺旋状攪拌ブレードをそれぞれが持っている。タンクの外側には、この２つの撹拌器を駆動するための駆動手段と制御手段が備えられる。本発明は、これらの手段で処理能力を改善し、さらに人の排泄物（小便）をおが屑の位置まで導く導管により排泄物処理時間を劇的に短縮させている。
【０００９】
また、本発明による主な解決手段は排泄物を分解する処理方法である。本発明の方法は、微生物培養材料で満たされている処理槽を用意するステップ、処理槽内の温度を所定の範囲に維持する温度制御手段を用意するステップ、処理槽内に微生物培養材料と排泄物とを混合する２つの攪拌器を配置するステップ、微生物培養材料を攪拌する時間が所定時間に達したことを検出するためのタイマーを設置するステップ、及び攪拌時間が所定時間に達したときに攪拌器を駆動するステップを有している。従って２つの攪拌器を持つ排泄物処理装置はおが屑内の微生物を高温でその数を急増させ排泄物の分解する時間を早め処理効率を高めている。
【００１０】
ある側面では、２つの攪拌器による排泄物とおが屑との攪拌効果は高く微生物は高温でその数を急増し短時間で分解し処理効率を高めている。排泄物の分解過程は高温下で行われるため発病性バクテリアは死んで嫌な臭いも低減される。
【００１１】
別の側面では、人の排泄物（小便）を排泄物（大便）の場所まで導くため小便の揮発による嫌な臭いを抑え、また排泄物の中にいる有機物質が分解をさらに早めるので本発明のバイオトイレは人々から歓迎されるものとなる。
【００１２】
別の良さは水を必要としないので水が節約でき、また汚水を排水することで起こる環境汚染の問題もない。環境への負荷を減らし環境保護に効果がある。さらには処理された排泄物は窒素、リン、カリウムとなり有機肥料となる。汚物を自然の材料にリサイクルし環境破壊を防ぐ効果がある。
【発明の効果】
【００１３】
本発明の排泄物処理装置によれば、２つの攪拌器の採用によって硬い堆積物から装置の故障を防ぎ、さらには高さを低くすることで使い易いトイレを提供できるという効果がある。また水を必要とせずに排泄物を堆肥に変えるので環境にやさしいバイオトイレが提供できる。
【発明を実施するための最良の形態】
【００１４】
本発明は、自然界のどこにでもいるバクテリア等の微生物を用いて有機物質を二酸化炭素、水、熱、有機肥料に変えるいわゆるバイオ技術を利用している。
【００１５】
図２に示すように、本発明による排泄物処理装置１００は、タンク１０１と処理槽１０２を持っている。この処理槽はタンクの中にあり処理槽の中にはおが屑と排泄物そして２つの局部的にオーバラップしている攪拌器１０４ａと１０４ｂがある。図３に示すように攪拌器１０４（ａ、ｂ）は回転軸１０６と螺旋状攪拌ブレード１０８から成っている。螺旋状プレートは２つの部品に分かれておりそれぞれが回転軸の端に位置している。螺旋状攪拌ブレード１０８は不連続であり、スポーク１１０によってそれぞれが回転軸１０６に固定されている。特別なものとして、回転軸１０６に対し垂直な平面上に位置させて真円をなす突起を設け、これによっておが屑を均一に攪拌することもできる。
【００１６】
図４に示すように、それぞれの螺旋状攪拌ブレード１０８の螺旋方向は互いに反対方向に配置してある。もし回転軸の一端の螺旋ブレードが右送りなら他端の螺旋ブレードは左送りであるといった具合である。そのため２つの螺旋状攪拌ブレード１０８は処理槽１０２の中のおが屑を端から中央の位置へと攪拌器１０４の回転で移動させる。
【００１７】
図５に示すように、攪拌器１０４ａと１０４ｂの螺旋状攪拌ブレード１０８ａと１０８ｂは局部的に一部がオーバラップしているため硬い塊をつくる死角スペースをなくしている。
【００１８】
有機物を分解するためには適度な温度が必要である。このため、温度制御手段１１２を処理槽の外側の側面に取り付けてあり処理槽内の温度を所定温度に保つ。一方で所定温度は人体排泄物の中にいる微生物の繁殖を防ぎ嫌な臭いも少なくする。だからバイオトイレは人々から歓迎される。本発明によると処理槽１０２は大便吸入口１１４と小便吸入口１１６を持ち排出物は直接槽内に落ちおが屑と混合される。この実施例では槽の横幅を増やしタンクの高さを低くして処理槽の内積を同じにしている。高さを低くすることでユーザの利便性が良くなり運搬が容易になるなど利点は大きい。この利点は２つの攪拌器１０４に起因する。
【００１９】
図５に明らかなように、本発明の排泄物処理装置をよりコンパクトにするため２つの攪拌器１０４ａと１０４ｂは互いに平行である、すなわち回転軸１０６ａと１０６ｂの高さは同じであり長さは処理槽の全長と同じである。２つの螺旋状攪拌ブレード１０８ａと１０８ｂは左右対称であって一部がオーバラップしており、おが屑を十分に攪拌する。
【００２０】
さらに螺旋状攪拌ブレード１０８ａと１０８ｂは回転軸１０６の回転によっておが屑を処理槽１０２の中央部へと搬送する。このようにして排泄物は大便吸入口１１４から遠くに搬送されおが屑と均一に混合される。おが屑が静止状態で移動することのない場所ではおが屑が堆積し硬くなっていくことが考えられる。
【００２１】
図３に戻り、本発明では２つの螺旋状攪拌ブレード１０８ａ、１０８ｂの螺旋方向を互いに反対方向としたことばかりでなく、螺旋状攪拌ブレード１０８ａ、１０８ｂの外側に位置させて、２つの攪拌リング１２０も同様にスポーク１２２で回転軸に固定されている。この攪拌リング１２０には、おが屑を攪拌して塊になるのを防ぐ（遊離させる）複数の攪拌ブロック部材１２４が周方向に間隔をおいて設けられている。この実施例ではおが屑と排泄物の混合物が一旦は処理槽１０２の中央に堆積するが回転軸１０６であらゆる方向に拡散する。加えて本発明では大便吸入口を攪拌器１０４ａと１０４ｂの一端の近くに該攪拌器１０４ａと１０４ｂの直上に配列することで処理槽の中央部での堆積を防いでいる。
【００２２】
上面プレート１３０には、図６に示すように、おが屑を入れたり処理済みの肥料を取り除いたりするための開口部１３２と、小便を搬送するための導管１３４とが設けられている。導管１３４の一端は小便吸入口１１６に接続しており他端は処理槽１０２の中央部か大便吸入口１１４の近くに配置し小便を排泄物に導いて混合する。
【００２３】
図７は本発明の別の実施例の分解斜視図である。排泄物処理装置２００は、タンク２０１と処理槽２０２を持っている。この処理槽はタンクの中にあり処理槽の中にはおが屑と排泄物そして２つの攪拌器２３０がある。温度制御手段２２０は処理槽２０２の外側の表面にあり処理槽内の温度を所定の温度に維持する。タンク２０１の上面プレート２０３は少なくとも１つの大便吸入口２０４を持ちこれを一方の攪拌器２３０の終端部の直上に配置してある。
【００２４】
図８に示すように、２つの攪拌器２３０は螺旋状攪拌ブレード２３４で構成され、このブレードは２つの部品に分かれておりそれぞれが回転軸２３２の終端に配置している。ブレード２３４の螺旋方向は互い違いである。２つのリング２３８は螺旋状攪拌ブレード２３４の外側にスポークで固定されており、リングには複数の攪拌ブロック部材２３９がある。このブロック部材２３９がおが屑の塊を柔らかくする。この実施例では、上述の実施例とは異なり、２つの螺旋状攪拌ブレード２３４はオーバラップするのではなく図９に示すように空間的に離れている。
【００２５】
処理槽２０２は２つの曲線形状の凹型容器２０５で構成されている。図１０に示すように、攪拌器２３０のブレード２３４と一致させるために、２つの凹型容器２０５の曲線の間隔と２つのブレード２３４の間隔とは実質的に同一としている。この間隔は、例えば0.5cm〜2cmである。
【００２６】
処理槽２０２の底にある２つの凹型容器２０５同士の継ぎ目部材の高さは回転軸の高さより低くなければいけない。例えば、２つの凹型容器がオーバラップしていないのなら継ぎ目部材は図示しないが平らになる。本実施例では図１１に示すように継ぎ目部材をくさび形交差部材２０６としている。２つの攪拌器の間の三角エリアはいわゆる死角エリアでここにおが屑が堆積して硬い塊を作ってしまう。くさび形交差部材２０６は、おが屑が堆積して硬い塊となるのを防ぎ装置の故障をなくしてくれる。実験によるとくさび形交差部材２０６の存在で駆動モータにかかる負荷は半分以下になることがわかっている。
【００２７】
図１２に示すようにタンク２０１の底に支持部材２２４を設けることにより、２つの凹型容器２０５の強度を高めることができる。
【００２８】
図７に戻り、タンク２０１の上面プレートには、おが屑を入れたり、処理済みの有機肥料の取り出すための開口部２０９が形成されている。開口部２０９はカバー２１０で普段は閉じている。タンク内を真空として通気をよくする排気孔２１２と小便吸入口２０７とは、大便吸入口２０４から所定距離離して配置されている。本発明の排泄物処理装置２００はまた、タンク２０１の上面プレートに配置された導管２０８を有している。この導管２０８の形状や長さは大便吸入口２０４や小便吸入口２０７までの距離に依存する。すなわち、導管２０８の一端２１３は小便吸入口２０７に接続しており、他端２１５は大便吸入口２０４の近くか処理槽２０２の中央に配置されている。図１３に示すように導管２０８の下面には多数の分散孔２１１があり小便を処理槽内に均一に撒く。分散孔２１１の直径は他端２１５に近いほどに大きくしている。
【００２９】
また、図１０に示すように、温度制御手段として複数の発熱プレート２２２が処理槽の外側側面に設けられている。温度センサー（図示せず）は本発明によると発熱プレートに取り付け、処理槽内の温度範囲を例えば50℃〜70℃に保つために発熱プレートをON/OFFする。断熱材２２１は発熱プレートの外側側面にあり処理槽２０２とタンク２０１との間のスペースを埋め断熱効果を高めている。もちろん温度制御手段２２０は処理槽の内部にあってもよい。
【００３０】
図１４に示すように温度制御手段は断熱材２２１を支持するためのホルダー２２６を持つ。ホルダー２２６は曲線形状の凹型容器２０５の曲率と一致するようにしなやかなプレートであって処理槽２０２を取り巻く。そしてホルダー（保持体）２２６の一端は支持部材２２４に他端はタンク２０１にばねフック２２７で固定されている。さらに上面プレート２０３はタンク２０１の側面に例えばスナップ機構によって取り外し可能に接続されている。もちろん、上面プレートと側面プレートとの接合点における断熱材料は、図１５に示すように、処理槽２０２の熱がタンク２０１へと伝導するのを防ぐものでなければいけない。
【００３１】
本発明のバイオトイレは上述の排泄物処理装置をハウスのような建物にいれることで簡単に実現することができる。一般に建物の中の床が２つの空間に分ける。１つは床より上の使用空間（インナールーム）、もう一つは床より下の操作ルーム（空間）である。図１６に示すように、建物の中の空間はドアー３０４を含むインナールーム３０２とドアー３０５を含む操作ルーム３０３に分かれている。本発明の排泄物処理装置１００／２００はインナールーム３０２の床下に置かれる。排気管２１４は排気孔２１２につながっていて操作ルーム３０３から排泄物処理装置２００の上面プレートを貫き建物の外まで伸びている。図７で、排気ファンは上面プレート上の排気孔２１２につながっていて保守点検もし易い。
【００３２】
攪拌器の回転軸は駆動器３０６で駆動される。駆動器３０６はタンク２０１の側面プレートに支持部材２２８で固定されている（図７）。図示していない制御ユニットは、図１７（Ａ）、（Ｂ）に示す支持部材２２９によってタンク２０１の側面プレートに固定されている。
【００３３】
一般に、最良の条件下で有機物質の他の微生物との反応は３つのステージを持っている。すなわち中温度ステージ、高温菌ステージ、成熟ステージの３つである。初期の分解は中温微生物によって急速に分解混合物となりこの時に熱を発生し温度は急激に高くなる。温度が40℃を超えた次の過程では高温菌微生物の作用が始まる。温度が50℃を超えると人体や植物からの微生物は死ぬ。温度が65℃を超えると多くの微生物は死んで分解速度はおちる。そこで温度を65℃以下に保持するための通風手段やおが屑と排泄物との十分な攪拌が重要となる。高温菌のステージにおいて、高い温度は  たんぱく質、脂肪、繊維、セルロース、ヘミセルロースなどと植物の中の分子との混合物の分解を早くする。高温菌微生物が出すエネルギーで逆に分解作用は下がり温度も低下する。そして最後の成熟ステージは再び中間微生物の作用となる。
【００３４】
以上のごとく本発明の排泄物処理装置は温度制御手段、排気手段、攪拌器回転時間の設定など有機物分解に要求されるすべてを満たしている。
【００３５】
図１８は本発明の方法を示すフローチャートである。まずステップ１０で排泄物処理装置の処理槽が微生物培養材料で満たされる。次のステップ１２で処理槽に互いに平行に配置した２つの攪拌器が用意される。それぞれの攪拌器には回転軸とこの回転軸に固定された２つの螺旋状攪拌ブレードが備えられている。２つの攪拌ブレードの方向は互いに反対方向である。ステップ１４では温度制御手段を設け処理槽内の温度を所定の温度範囲に維持して排泄物を分解する。ステップ１６ではタイマーを設け攪拌器を回転させる時間間隔を検出する。ステップ１８でその時間間隔に達したか判断し、もしＹＥＳならステップ２０で微生物培養材料と人体排泄物の攪拌手段で攪拌する。もしＮＯならステップ１６の時間間隔の検出に戻る。
【００３６】
攪拌器を駆動する目的は、微生物培養材料と人体排泄物を攪拌する為、すなわち新しい排泄物の上におが屑をかぶせる為である。常に最適角度だけ回転し、攪拌器が１回転完了したら反対方向に回転するように制御ユニットにより制御される。
【００３７】
図１９は本発明の処理方法と回転角度検出を示すフローチャートである。ステップ３０で回転角度検出手段を設ける。もし攪拌器の１回転完了を判断しＹＥＳならステップ３４で攪拌器を反対方向に回転するように制御ユニットを操作する。もしＮＯならステップ３６で状態を維持する。
【００３８】
ステップ４０では大便吸入口かインナールームに検出器を設け誰かが入ってきたことを検出する。次のステップ４２でもし誰かが入ってきた場合、すなわちＹＥＳの場合、制御ユニットは攪拌器に駆動信号を出力しステップ３２を繰り返す。もしＮＯなら図１８のステップ１６に進む。
【００３９】
本発明では最後に入ったユーザまでの時間間隔を検出する。もしトイレを使用した後の時間間隔が事前に決めてある所定時間、例えば１５分と一致した場合、攪拌器を駆動する。ユーザが出て行った時に攪拌器の駆動ステップを実行することもできる。
【００４０】
上述してきた処理方法では、数回の駆動で攪拌器が１回転完了する。タンク内部の温度は温度制御手段によって簡単に50℃〜70℃の範囲に維持することができる。以上の排泄物処理装置と方法により排泄物の分解所要時間は約１０時間ほどである。バクテリアは高温条件下では数分から６０分くらいで死に、有機物が有機肥料に醗酵する所要時間は約２日間である。完全な分解と醗酵でいやな臭いはなくなる。だから本発明のバイオトイレは広く受け入れられ風光明媚な場所、一時的な公演場所、建設現場、駅、公園などに設置することができる。
【図面の簡単な説明】
【００４１】
【図１】（Ａ）、（Ｂ）、（Ｃ）は、従来の排泄物処理装置の概要図で小便吸入口と大便吸入口を示す。
【図２】本発明の排泄物処理装置の一実施形態を示す組み込み透視図で、処理槽内の２つの攪拌器を示す。
【図３】螺旋状攪拌ブレードの透視図である。
【図４】排泄物処理装置の構成図で、螺旋状攪拌ブレードが２つに分かれていて螺旋方向が互いに反対となっていることを示す。
【図５】排泄物処理装置を後ろからみた構成図で２つの攪拌器が局部的にオーバラップしていることを示す。
【図６】排泄物処理装置の上部プレートの透視図で導管が排尿（小便）口と接続されていることを示す。
【図７】本発明による排泄物処理装置の別の実施形態のトイレの分解透視図である。
【図８】螺旋状攪拌ブレードの透視図である。
【図９】排泄物処理装置を上からみた図で２つの螺旋状攪拌ブレードがそれぞれ２つに分かれ螺旋状ブレードが互いに反対方向を向いていることを示す図である。
【図１０】排泄物処理装置を後ろからみた図で２つの攪拌器が離れて配置していることを示す。
【図１１】処理槽の概要図である。
【図１２】底面プレートの支持部材を示す図である。
【図１３】導管を下からみた図で多くの分散孔を示す。
【図１４】温度制御手段の支持部材の図である。
【図１５】側面プレートと上面プレートとの接合部の拡大図で接合部の断熱材を示す。
【図１６】バイオトイレの構造を示す図である。
【図１７】（Ａ）、（Ｂ）は排泄物処理装置の後ろのプレートを外した図で制御ユニット（電気制御手段）の支持部材を示す図である。
【図１８】本発明による排泄物処理方法のフローチャートで人の排泄物の分解過程を示す。
【図１９】同フローチャートで螺旋状攪拌ブレードの作用を示す。
【符号の説明】
【００４２】
１００  ２００  排泄物処理装置
１０１  ２０１  タンク
１０２  ２０２  処理槽
２０５  凹型容器
１０４ａ  １０４ｂ  ２３０  攪拌器
１０６  ２３２  回転軸
１０８  ２３４  螺旋状攪拌ブレード
１１０  １２２  スポーク
１１２  ２２０  温度制御手段
１１４  ２０４  大便吸入口
１１６  小便吸入口
１２０  ２３８  攪拌リング
１２４  ２３９  攪拌ブロック部材
１３４  ２０８  導管
２２１  断熱材
２２６  ホルダー
２２７  ばねフック
３０２  インナールーム
３０３  操作ルーム
２１２  排気孔
３０６  駆動器
【図１】
2006516005.tif 000003
【図２】
2006516005.tif 000004
【図３】
2006516005.tif 000005
【図４】
2006516005.tif 000006
【図５】
2006516005.tif 000007
【図６】
2006516005.tif 000008
【図７】
2006516005.tif 000009
【図８】
2006516005.tif 000010
【図９】
2006516005.tif 000011
【図１０】
2006516005.tif 000012
【図１１】
2006516005.tif 000013
【図１２】
2006516005.tif 000014
【図１３】
2006516005.tif 000015
【図１４】
2006516005.tif 000016
【図１５】
2006516005.tif 000017
【図１６】
2006516005.tif 000018
【図１７】
2006516005.tif 000019
【図１８】
2006516005.tif 000020
【図１９】
2006516005.tif 000021
【国際調査報告】
2006516005.tif 000022
2006516005.tif 000023